(57)【特許請求の範囲】
【請求項１】
地上建築物の建設に先立って収納庫本体を一定深さに埋設できるように据え付け位置の土砂を掘削した後、その掘削された穴底の据え付け位置に予め枠組みされたフレームを設置してその枠内にコンクリートを打設し、次いで、フレームに取り付けられたガイドロッドに収納庫本体に固定されたアンカー金具を挿通させて収納庫本体をフレームに載置した後、ガイドロッドに嵌挿された鋼管を介して収納庫本体のアンカー金具をフレームに固定し、収納庫本体の周囲に土砂を埋め戻すことを特徴とする地下収納庫の施工方法。
【発明の詳細な説明】
【０００１】
【発明の属する技術分野】
本発明は、地下収納庫の施工方法に関するものである。
【０００２】
【従来の技術】
従来より、納戸や物置などの収納空間を限られた土地面積内に確保するため、地下室を構築することが行われている。この際、費用や工期などを考慮してレジンコンクリートで一体成型された収納庫本体２を埋設して簡易的に地下室を形成することが知られている。このような収納庫本体２を埋設することによって形成される地下収納庫１を施工するには、まず、地上建築物の建設に先立って据え付け位置の土砂を一定深さにわたって掘削して穴ｈを形成した後（図３（ａ）参照）、その穴ｈの底に鉄筋コンクリートによるコンクリート基礎ｆを形成し（図３（ｂ）参照）、このコンクリート基礎ｆの据え付け位置に予め工場で製造された収納庫本体２をクレーンを使用して据え付ける（図３（ｃ）参照）。次いで、収納庫本体２の据え付けが終了すれば、収納庫本体２の周囲に土砂を埋め戻し（図３（ｄ）参照）、現場を養生した後（図３（ｅ）参照）、地上建築物の基礎工事に着手するようにしている。
【０００３】
【発明が解決しようとする課題】
しかしながら、前述した地下収納庫を施工する場合、作業者が穴内に入って収納庫本体をコンクリート基礎に据え付けなければならないことから、収納庫本体の上部が地上に露出する一定深さに収納庫本体を埋設するのに必要な容積以外に、作業者が収納庫本体の周囲で作業できるように、その周囲を一定範囲にわたって余分に掘削しなければならず、しかも、据え付けられる収納庫本体の周囲の狭小な空間で作業する関係上、安全性に難がある。また、コンクリート基礎を形成する際、現場にて型枠を作成し、鉄筋を配筋し、また、収納庫本体のアンカー金具に合わせてアンカーボルトを位置決めして取り付ける必要があり、作業に専門的な技術が必要となる。さらに、型枠にコンクリートを打設して仕上げた後、強度を確保するまで一定期間（３日程度）養生しなければならず、全体として工事が長期にわたるという問題もある。
【０００４】
本発明は、このような問題点に鑑みてなされたもので、安全性を確保しつつ工期を大幅に短縮することのできる地下収納庫の施工方法を提供するものである。
【０００５】
【課題を解決するための手段】
本発明は、地上建築物の建設に先立って収納庫本体を一定深さに埋設できるように据え付け位置の土砂を掘削した後、その掘削された穴底の据え付け位置に予め枠組みされたフレームを設置してその枠内にコンクリートを打設し、次いで、フレームに取り付けられたガイドロッドに収納庫本体に固定されたアンカー金具を挿通させて収納庫本体をフレームに載置した後、ガイドロッドに嵌挿された鋼管を介して収納庫本体のアンカー金具をフレームに固定し、収納庫本体の周囲に土砂を埋め戻すことを特徴とするものである。
【０００６】
【発明の実施の形態】
以下、本発明の実施例の形態を図面に基づいて説明する。
【０００７】
図１には、本発明の地下収納庫の施工方法で埋設された地下収納庫１が示されており、この地下収納庫１は、その据え付け位置において、収納庫本体２をその上部が地上に露出する一定深さに埋設するのに必要な土砂を掘削して穴を形成した後、その掘削された穴の底にフレーム３を設置し、次いで、フレーム３に収納庫本体２を固定した後、収納庫本体２の周囲に土砂を埋め戻すことによって形成されている。
【０００８】
ここに、フレーム３は、収納庫本体２を支持できるように、予め工場にて断面Ｈ形の型鋼を方形に枠組みして形成され、その長辺側３Ａの両端部近傍には、略掘削深さに相当する長さのガイドロッド４が立設されている。すなわち、フレーム３の長辺側３Ａの下フランジ３１の両端部近傍には、ナット５が溶着され、また、このナット５の固定位置に合わせて上フランジ３２には小穴３２ａが形成されており、前述したガイドロッド４は、上フランジ３２に形成された小穴３２ａに挿通されてその下端が下フランジ３１に固定されたナット５に螺合されている。このガイドロッド４の立設位置は、収納庫本体２の長辺側側面下端の両端部近傍に固定されたアンカー金具２１の固定位置に合わせて位置決めされている。
【０００９】
そして、収納庫本体２のアンカー金具２１がフレーム３に立設したガイドロッド４に挿通されて収納庫本体２がフレーム３上に載置された際、ガイドロッド４には、フレーム３から上方に突出したガイドロッド４の長さよりも若干短い長さの鋼管６が嵌挿され、その後、ワッシャ７を介してガイドロッド４の上端にナット５が螺合されている。このため、鋼管６の抜け出しを防止しつつアンカー金具２１、すなわち、収納庫本体２がフレーム３に固定されている。
【００１０】
このような地下収納庫１を施工するには、まず、据え付け位置において、地上建築物の建設に先立って収納庫本体２をその上部が地上に露出する一定深さに埋設するのに必要な土砂を掘削した後、その掘削した穴の底に採石Ｂを敷き、転圧して平らに均し、その据え付け位置にフレーム３を設置する。この際、フレーム３の上フランジ３２の小穴３２ａにガイドロッド４を挿通させ、その下端を下フランジ３１に溶着したナット５に螺合させることにより、フレーム３の略四隅近傍にガイドロッド４を立設させる。次いで、フレーム３で区画された枠内に空練りコンクリートもしくはコンクリートＣを打設した後、収納庫本体２をクレーンを使用して据え付ける。具体的には、フレーム３に立設されたガイドロッド４に収納庫本体２のアンカー金具２１を挿通させ、収納庫本体２をガイドロッド４に沿って下降させることでフレーム３上に載置した後、地上からガイドロッド４に鋼管６およびワッシャ７を順に嵌挿し、ガイドロッド４の上端にナット５を螺合し、収納庫本体２のアンカー金具２１をフレーム３に固定する。収納庫本体２の据え付けが終了すれば、収納庫本体２の周囲に土砂を埋め戻して現場を養生した後、地上建築物の基礎工事に着手すればよい。
【００１１】
この結果、予めフレーム３に対する収納庫本体２の位置決めがなされていることから、地上で収納庫本体２の据え付け作業を行うことができ、安全に作業することができる他、収納庫本体２の縦横寸法にほぼ相当する面積を越えて土砂を掘削する必要がなく、掘削作業を軽減することができる。また、フレーム３によって収納庫本体２を支持するため、コンクリート基礎を形成する必要がなく、鉄筋コンクリートを打設するための型枠工事や配筋工事が不要となり、専門工を要することなく作業することができ、さらに、コンクリート基礎に収納庫本体２を据え付ける従来工法に比較してコンクリート打設後、直ちに収納庫本体２の据え付け作業に着手できることから、工期を大幅に短縮することができる。
【００１２】
【発明の効果】
以上のように本発明によれば、地上建築物の建設に先立って収納庫本体を一定深さに埋設できるように据え付け位置の土砂を掘削した後、その掘削された穴底の据え付け位置に予め枠組みされたフレームを設置してその枠内にコンクリートを打設し、次いで、フレームに取り付けられたガイドロッドに収納庫本体に固定されたアンカー金具を挿通させて収納庫本体をフレームに載置した後、ガイドロッドに嵌挿された鋼管を介して収納庫本体のアンカー金具をフレームに固定し、収納庫本体の周囲に土砂を埋め戻すことにより、地上で収納庫本体を据え付けることが可能となり、安全に作業することができる他、予め工場で枠組みされたフレームに収納庫本体を支持させることから、コンクリート基礎が不要となり、工期を大幅に短縮することができる。
【図面の簡単な説明】
【図１】本発明の地下収納庫の施工方法によって収納庫本体をフレームに据え付けた  状態を示す背面図である。
【図２】本発明の地下収納庫の施工方法によって収納庫本体をフレームに据え付ける場合を一部省略して示す分解斜視図である。
【図３】従来の地下収納庫の施工方法を示す説明図である。
【符号の説明】
１  地下収納庫
２  収納庫本体
２１  アンカー金具
３  フレーム
４  ガイドロッド
５  ナット
６  鋼管
【図１】
0003588523.tif 000002
【図２】
0003588523.tif 000003
【図３】
0003588523.tif 000004